(57)【要約】  テープの重合部を切り込み折曲して結束する園芸用結束装置を提供する。  アーム部（３）又は本体部（２）の一方に刃（４）を、他方に刃受け部（５）を対向配置し、該刃（４）と刃受け部（５）とは、テープ重合部に切り込みを形成し、刃（４）は、テープを切り込み折曲してテープの切り込んだ内端部側に係止部分を形成する刃形とするとともに、刃受け部（５）は、テープの折り曲げられた切り込み部分を刃受け部（５）から先端外方向に抜き外せるよう構成し、テープ自体の係止でテープを結束状態から維持可能とした園芸用結束装置である。【特許請求の範囲】
【請求項１】
本体部にアーム部を回動可能に連結してあり、両先端部が開くことにより一方の先端部から他方の先端部側に渡ってテープを引き出し、両先端部が閉じることによりテープを装置内方側に環状にできるとともに、先端部側でテープ部分を重合状態で結束しかつ切断する構成を有する園芸用結束装置であって、
アーム部側又は本体部側の一方に刃を、他方に刃受け部を対向形成し、該刃と刃受け部とは、テープ重合部に切り込みを形成し、
刃は、テープを切り込み折曲してテープの切り込んだ内端部側に係止部分を形成する刃形とするとともに、刃受け部は、切り込まれたテープ部分を刃受け部から先端外方向に抜き外せるようにして形成した構成を有し、テープ自体の係止でテープを結束状態で維持可能としてなる構成を有する園芸用結束装置。
【請求項２】
刃は、先端部側から内方に向けてテープを打ち抜き、折曲し得るとともに、刃先の内端部側が先端部側に対して幅広となった膨頭部を有する刃形に形成し、刃受け部は、両端部側が中間部に対して上記同様に幅広に開口した膨頭孔部を有する抜き孔として形成し、アーム部の先端部が閉じるとともに、膨頭部が膨頭孔部の内端部側の幅広開口部に挿入し貫通するように形成してなる構成を有する請求項１に記載の園芸用結束装置。
【請求項３】
刃を、装置両側方向に二以上並列して形成し、そのうち少なくとも一の刃を他の刃よりも突出した案内刃としてある請求項１又は２に記載の園芸用結束装置。
【請求項４】
刃を、装置両側方向に三本並列して形成し、そのうち中央の刃を両側の刃よりも突出した案内刃としてある請求項１〜３のいずれかに記載の園芸用結束装置。
【請求項５】
本体部とアーム部との両先端部が開いている際は、刃の先端部よりも外方に位置して刃を覆い、本体部とアーム部との両先端部が閉じた際は、本体部又はアーム部側に押圧され、刃の先端部を露出させる構成としてある保護部材を備えた請求項１〜４のいずれかに記載の園芸用結束装置。
【請求項６】
刃を、少なくとも先端部側とその内方側とにテープ長手方向と交差するように形成し、内方側の刃をテープ幅の内方部が先端方向に傾斜するように形成し、刃受け部を、アーム部の先端部が閉じるとともに上記刃と摺れてテープをせん断し得るように形成し、かつ切り込んだテープ部分を折曲する押圧片を設けてなる請求項１に記載の園芸用結束装置。
【請求項７】
紙、生分解性素材、或いはそれらを主素材とした複合材料で形成してなるテープを用いてなる請求項１〜６のいずれかに記載の園芸用結束装置。
【請求項８】
園芸用テープを新梢などに環状に結束する方法であって、本体部とアーム部を回動可能に連結し、両先端部でテープを引き出し、テープを装置内方側に環状とするとともに、先端部側でテープ部分を重合状態で結束し、切断するようにしてなる園芸用結束装置を用い、
両先端部を開いて引き出したテープを環状となした後、両先端部を閉じてテープ先端部とテープ元側との内面側を重合するとともに、両先端部に形成してある刃と刃受け部とにより、テープ重合部に切り込みと折曲部とを形成し、一方のテープの内端部側に形成した切り込み部分を他方のテープの切り込み部分に係止させて、テープの結束状態を維持させるようにするとともに、該部分を含むテープ重合部を、装置の先端外方向に抜き出すようにした園芸用テープの結束方法。
【請求項９】
刃先の内端部側が先端部側に対して幅広となった膨頭部を有する刃形に形成した刃と、孔部の両端部側が上記同様に幅広に開口した膨頭孔部を有するとともに、貫通した抜き孔として形成した刃受け部とを用い、本装置の先端部が閉じるとともに、膨頭部が膨頭孔部の内端部側の幅広開口部に挿入し貫通させるようにしてなる請求項８に記載の園芸用テープの結束方法。
【請求項１０】
刃と刃受け部とにより、少なくとも先端部側とその内方側とにテープ長手方向と交差すように切り込みを形成し、テープ長手方向の折れ筋を折曲して重合テープ部分に切片部を形成し、切片部の内端部側を重合した他方のテープ部分の切り込み部に係止するようにしてなる請求項８に記載の園芸用テープの結束方法。
【請求項１１】
紙、生分解性素材、或いはそれらを主素材とした複合材料で形成してなる園芸用テープを用いてなる請求項８〜１０のいずれかに記載の園芸用テープの結束方法。
【発明の詳細な説明】
【技術分野】
【０００１】
本発明は、園芸用結束装置及びそれを用いた園芸用テープの結束方法に関する。
【背景技術】
【０００２】
農園芸用のテープを環状に結束する装置、いわゆる園芸用結束機としては、本体部の上側に、上方に湾曲膨出したアーム部を回動可能に連結してあり、本体部とアーム部とを閉じることにより、本体部及びアーム部の先端部側にテープを架け渡し、アーム部の湾曲内に果樹の蔦などを納め、本体部とアーム部とを閉じることにより、テープをステープラーで結束するとともに、切断することができるようにしたものがある（例えば、特許文献１参照）。【０００３】
なお、園芸用ではないが、複数枚の紙を束ねて結束する装置として、軸杆状部分に横向きに広がった頭状部を有するダイスと、ダイスに嵌入可能としたポンチヘッドとを備えたものが開示されている。この結束は束ねた紙の隅部にダイスとポンチヘッドとにより切り込みを形成して行うものである（例えば、特許文献２参照）。【０００４】
【特許文献１】国際公開第２００３／００５８０５号パンフレット
【特許文献２】特表昭５６−５００２４８号公報
【発明の開示】
【発明が解決しようとする課題】
【０００５】
上記園芸用結束機は、結束を手作業で行うのに比べて作業効率を高めることができるものであるが、使用環境は、ブドウなどの果樹棚の枝（新梢）を張り巡らされたワイヤなどに固定して保護するために、１日に数千回も結束作業を行うような状況が普通である。
従来の結束機は、テープを結束するためのステープラー針を収納し、打鋲機構を具備したものであるため、装置が複雑構造になっており、同時に装置の堅牢、耐久性も要求され、装置が重く、また、打鋲のための握力を必要とするなどの問題があった。しかも長時間の繰り返し作業においては、これらの負担や疲労が作業者に与える負の影響は大きく、例えば１日の作業が終えると腕が上がらず、手が動かなくなってしまって、疲労痛に悩まされるほどであり、軽量で軽快な操作性の装置の出現が望まれる。【０００６】
また、テープは破れたり経時劣化したりして地面に落ち、土中に混ざることになるが、同時に無数のステープラー針なども落ち、土中に混入してしまうことになり、怪我をする危険性を生じさせるおそれがあるとともに、土壌汚染などの環境汚染を生じさせるおそれがあり、これらに対する対策が必要である。【０００７】
仮に、ステープラー針ではなく、接着剤などを塗布して結束させる手段もあり得るが、風雨や土埃などの中での屋外作業が接着効果を弱めることなどから、接着剤塗布機構と瞬間接着性や接着安定性を高める工夫などが必要となり、装置の複雑化、大型化と、接着剤使用などによるコスト高を招来するおそれがあり、しかも、接着剤がテープとともに土中に混ざってしまうため、土壌汚染などの環境汚染を生じさせるおそれがあるなど、実用的ではない。【０００８】
なお、上記特許文献２に示された複数枚の紙を結束する装置は、事務処理用として適用可能なものであり、これを園芸用に用いようとしても、結束作業が行えないものである。
何故なら、この装置は、片手で束ねた紙を持ち、その隅部を装置のパンチング部にあてがってパンチングし、外すだけの結束思想のものである。園芸用の結束装置は、装置内に枝とワイヤを抱き込みつつテープで巻き結び、結束と同時に、結束部（刃部）を中心にしてみれば、逆方向となる装置の先端外方に結束体を抜き外すことで、結束を完了するものであり、前記装置の結束思想では、園芸用としての結束を図ることができないものである。
仮に、前記装置において結束した紙を、束ねた紙と反対側の方向に抜き外そうとすると（そのようには外せないのであるが）、装置の切込部の幅広部分がダイスに引っ掛かって引き抜けず、無理に引き抜こうとするとテープに形成した切込部が千切れてしまうことになるであろう。【０００９】
本発明者は、従来方法には上記のような問題点があることに着眼し、さらに従来の結束器を用いる限り上記のような問題点は解決され得ないことを究明して、本発明をなしたものである。
すなわち、本発明の主な目的は、園芸用結束機及び結束方法であって、ステープラー針などの結束材料を用いることなく、結束に用いるテープ自体で、結束を行うとともに結束を維持し得るようにした新しい技術思想の結束装置と結束方法とを提供することにより、従来の種々の問題点を解消できるようにするものである。
しかも、このテープとして紙、生分解性材料乃至複合材料で適度な強度を有するテープを用いることができるようにした結束装置と結束方法とを提供するものでもある。【００１０】
また、本発明の主な目的は、ステープラー針などの結束材料を用いず、したがってその収納機構と収納操作、及び打鋲機構と打鋲操作を不要として、簡潔、軽量な構造と、簡便な操作性を実現させ、テープ以外の針などの消耗品の携帯を不要とすることができる園芸用結束装置と結束方法とを提供するものである。これにより作業負担の大幅軽減が図れ、片手での作業性を向上させ、繰り返し連続操作を容易にすることができ、携帯材料を軽減させ、装置の故障を起こりにくくし、メンテナンスの容易化が図れ、コストの低減、生産性の向上などに好ましい効果を生み出す。【００１１】
さらに、本発明の別の主な目的は、怪我をさせるおそれがあり、環境汚染を生じさせるおそれのあるステープラー針或いは接着剤などを使用することなく、汚染を生じさせにくいテープを用い、テープ自体で結束を行なうことを可能にする園芸用結束装置と結束方法を提供するものである。
本発明によれば、上記以外の種々目的も達することを可能とする。
【課題を解決するための手段】
【００１２】
上記課題を解決するために、本発明の園芸用結束装置は、本体部にアーム部を回動可能に連結してあり、両先端部が開くことにより一方の先端部から他方の先端部側に渡ってテープを引き出し、両先端部が閉じることによりテープを装置内方側に環状とするとともに、先端部側でテープ部分を重合状態で結束しかつ切断する構成を有する園芸用結束装置であって、アーム部側又は本体部側の一方に刃を、他方に刃受け部を対向形成し、該刃と刃受け部とは、テープ重合部に切り込みを形成し、刃は、テープを切り込み折曲してテープの切り込んだ内端部側に係止部分を形成する刃形とするとともに、刃受け部は、切り込まれたテープ部分を刃受け部から先端外方向に抜き外せるようにして形成した構成を有し、テープ自体の係止でテープを結束状態で維持可能とすることができるようにしたことを特徴とするものである。【００１３】
上記刃は、先端部側から内方に向けてテープを打ち抜き、折曲し得るとともに、刃先の内端部側が先端部側に対して幅広となった膨頭部を有する刃形に形成し、刃受け部は、両端部側が上記同様に幅広に開口した膨頭孔部を有する抜き孔として形成し、アーム部の先端部が閉じるとともに、膨頭部が膨頭孔部の内端部側の幅広開口部に挿入し貫通するように形成したものとするのが好ましい。
また、上記刃は、装置両側方向に二以上並列して形成するのが好ましく、そのうち少なくとも一の刃を他の刃よりも刃受け部側に突出した案内刃とすることができる。特に、装置両側方向に三本の刃を並列して形成し、そのうち中央の刃を両側の刃よりも刃受け部側に突出した案内刃として形成するのが好ましい。
刃は上記とは別例として、少なくとも先端部側とその内方側とにテープ長手方向と交差するように形成し、内方側の刃をテープ幅の内方部が先端方向に傾斜するように形成し、刃受け部を、アーム部の先端部が閉じるとともに上記刃と摺れてテープをせん断し得るように形成し、かつ切り込んだテープ部分を折曲する押圧片を設けた構成として形成することもできる。
テープは限定されないが、紙、生分解性素材、或いはそれらを主素材とした複合材料で形成すれば一層好ましい。【００１４】
本発明はまた、園芸用テープの結束方法であり、園芸用テープを新梢などに環状に結束する方法であって、本体部とアーム部を回動可能に連結し、両先端部でテープを引き出し、テープを装置内方側に環状とするとともに、先端部側でテープ部分を重合状態で結束し、切断するようにしてなる園芸用結束装置を用い、両先端部を開いて引き出したテープを環状となした後、両先端部を閉じてテープ先端部とテープ元側との内面側を重合するとともに、両先端部に形成してある刃と刃受け部とにより、テープ重合部に切り込みと折曲部とを形成し、一方のテープの内端部側に形成した切り込み部分を他方のテープの切り込み部分に係止させて、テープの結束状態を維持させるようにするとともに、該部分を含むテープ重合部を、装置の先端外方向に抜き出すようにしたことを特徴とするものである。
また、上記装置を用いることにより、テープ自体で、好ましくは汚染を生じさせにくいテープ自体で結束を行なうことを可能にする結束方法を提供する。
【発明の効果】
【００１５】
本発明の園芸用結束装置は、ステープラー、接着剤、粘着テープなど、テープ以外の結束を維持するための部材を使用することなく、簡潔な機構で、簡便な操作を以ってテープをテープ自身で係止させて結束を維持させることができるようにした。このため、ステープラーなどを使用しないのでその分を軽量化し、かつ装置自体を軽量材質とすることができ、片手で持ち上げても負担にならず、握力を従来のように必要としないので、繰り返しの連続作業を楽にすることができる。ステープラーなどの消耗品を使用しないのでこれらの交換作業が不要となり、コストも削減することができる。また、構造も簡潔であるため、メンテナンスしやすく耐久性にも優れたものとすることができる。さらに、作業の安全性を高め、土壌の汚染防止にも寄与する。
本発明の園芸用テープの結束方法は、ステープラーなどを使用しなくとも、結束装置を握るだけの簡単な操作でテープ自身を必要十分な強度で結束でき外れにくくするものである。
【図面の簡単な説明】
【００１６】
【図１】本発明の園芸用結束装置の一実施形態を示した概略分解斜視図である。
【図２】図１の装置の先端部側を示した側断面図である。
【図３】図１の装置の構成部品である本体部の先端部側を示した概略分解斜視図である。
【図４】図１の装置の構成部品である刃の一実施例を示した概略斜視図であり、（Ａ）は上面図、（Ｂ）は側面図である。
【図５】図１の装置の構成部品である保護部材の動作を示し、（Ａ）は動作前、（Ｂ）は動作中、（Ｃ）は動作後を示している。
【図６】図１の装置の構成部品である刃の別の一実施例を示した概略斜視図である。
【図７】図１の装置の構成部品であるアーム部の先端部側を示した概略分解斜視図である。
【図８】図１の装置の構成部品であるテープ収納部を示した概略斜視図である。
【図９】図１の装置の組立状態を示した概略側面図である。
【図１０】図１の装置において、本体部とアーム部との先端部側間にテープを引き出した状態を示した概略側面図である。
【図１１】図１の装置を用いてテープで結束物を結束する状態を示した概略側面図である。
【図１２】図１の装置により結束した園芸用テープを示した概略斜視図である。
【図１３】図１２のテープの重合部を示した拡大斜視図である。
【図１４】図１の装置でテープに切り込みを形成したときの状態を示した概略側面図である。
【図１５】図１の装置でテープに切り込みを形成したときの状態を上方から俯瞰した図である。
【図１６】図１の装置からテープを引き抜く状態において、（Ａ）は引き抜き前、（Ｂ）は引き抜き中の概略側断面図である。
【図１７】図１２のテープの結束状態を示す拡大斜視図である。
【図１８】本発明の園芸用結束装置の別の実施形態を示した概略側面図である。
【図１９】図１８の装置の構成部品である刃を示したものであり、（Ａ）は概略分解斜視図、（Ｂ）は上面図である。
【図２０】図１８の装置の構成部品であるアーム部の先端部側を示した概略分解斜視図である。
【図２１】図１８の装置により結束した園芸用テープを示したものであり、（Ａ）は概略斜視図、（Ｂ）はテープ重合部の拡大図、（Ｃ）はテープ重合部の概略側面図である。
【図２２】園芸用テープの端部を折り返してテープ重合部を形成した一例を示す概略斜視図である。
【発明を実施するための最良の形態】
【００１７】
以下、本発明の好適な実施形態を図面を用いて説明する。
図１は、本発明の一実施形態の園芸用結束装置を示し、図２〜図８は、図１の園芸用結束装置の構成を示し、図９〜１７はこの装置の機能状態を示している。【００１８】
本実施形態の園芸用結束装置１は、図１又は２に示すように、本体部２の中間部位にアーム部３を回動可能に枢着してあり、本体部２の先端部側に刃４を、アーム部３の先端部側に刃受け部５を備えている。
なお、図示しないが、本体部２の先端部側に刃受け部５を、アーム部３の先端部側に刃４を設ける構成とすることもできる。【００１９】
本体部２は、長手方向に沿い上方開口した断面略コの字形状の板材であり、先端部側に、刃４を設けてあり、下端部側から後端部側にかけては、テープ収納部６を設けてある。
刃４は、上方に向け突設してあり、先端部側から内端部方向に向いた細長状の３つの刃を両側方向に並列して配し、刃先の刃形を、図３又は図４に示すように、中間部と先端部側の上端面が長方形状を有し、内端部側の上端面がこの長方形幅に対して幅広となった断面円形状の膨頭部４ａを有するように形成し、この上端面の周縁が刃となっている。刃は、内端部側が突出頂点となり、内端部側から先端部側に向け漸次低くなる下方傾斜面として形成してある。なお、膨頭部４ａの断面形状は、円形状に限定するものではなく、楕円形状、矩形その他の多角形状などに形成してもよい。【００２０】
３つの刃４の内、中央の刃４ｂは、両側の同形の刃４ｃ、４ｃよりも刃受け部５側に突出した案内刃４ｂとして形成してある。具体的には、中央の刃４ｂが両側の刃４ｃよりも内端部側に若干長く形成してあり、その長い分だけ刃４ｂの傾斜した上端面の内端部側の部分が刃４ｃよりも上方に突出するように形成してある。
このようにすることにより、噛合の際、刃４ｂが案内刃として先導状態で最初に後述する抜き孔５ａに挿入して正確な位置決めをすることになり、刃の正対位置を一定化させることができ、これにより、他の刃４ｃと他の各抜き孔５ａとを少しのずれも生じさせないように正対させ、この正対状態のまま噛合することができるようになるので、刃４は抜き孔５ａの縁に擦れることなくスムーズに抜き孔５ａに挿入し、摩滅などをほとんど生じさせず、切れ味も劣化せず、長期間しかも軽快に使用することができるものとなる。
また、刃４は、アーム部３の先端部が閉じることにより、膨頭部４ａが抜き孔５ａの内端部側の膨頭孔部５ｂに挿入して上方に貫通するように形成してある。これにより、テープＴの重合部を、内端部側で打ち抜き、かつ先端部側を打ち抜かずに折れ線状態で折曲連続した状態として形成し、重合したテープを結束できる。  【００２１】
上記刃４は、本体部２の先端部側にビスなどで固着してある別体の略直方体状の刃本体部７に、刃の付け根部を埋設して上方に突出するように一体的に形成してある。
また、保護部材８が、刃４の上方、下方及び装置先端部側の三方を囲むように、本体部２に設けた空隙に装着して形成してある。該保護部材８は、断面略コの字状に折曲した板材としてあり、上面８ａに３つの刃４と合致する形状の挿通孔８ｂを形成してあり、刃４を囲うように配して上下方向にバネ作用する圧縮バネなどのバネ部９により上方に付勢されている。アーム部３の先端部が開いたときは、図２及び図５（Ａ）に示すように、刃４を保護部材８内に納めて保護し、閉じたときは、図５（Ｂ），（Ｃ）に示すように、アーム部３の先端部側の刃受け部５により押圧され、上面８ａの挿通孔８ｂから刃４が上方に突出するようにしてある。【００２２】
なお、刃４は、少なくとも１つ形成してあればよく、図６の如く２つ形成し、或いは３以上形成してもよいが、テープの結束を軽快に行ない、テープの閉じ片１８を丈夫に保ち、かつテープの結束状態を安定性高く維持するために、最も好ましくは上記の如く３つ形成するのがよい。
なお図６は、刃４を２つ並設した例を示したものである。刃は同高でもよいが、複数併設の場合はそのうちの少なくとも１つの刃を内端部が刃受け部側に突出して案内刃となるようにするのが好ましい。【００２３】
刃４よりも装置先端部側には、図２に示すように、上方に突設した切断刃１０が設けてあり、後述する爪受け片１１の装置先端部側と摺接することにより、結束したテープＴを切断することができるようにしてあり、その先端部側には、テープＴの先端部送出口を形成し、さらに先端部側には、アーム部３側に突設したカム送り部１４を装着してあり、アーム部３と本体部２とが閉じた際、この先端部が後述するカム部１３に当接し、カム部１３を回動させるようにしてある。【００２４】
アーム部３は、図１に示すように、断面略矩形の棒状材であり、中間の折曲部３ｄから先端部の間を上方に湾曲膨出するように折曲形成し、湾曲内側に形成された空間部に結束物を収めることができる形状とし、その先端部側には、図２又は図５に示すように、内側に刃受け部５を、先端側にフック部１１を備えている。【００２５】
刃受け部５は、図７に示すように、本体部２の保護部材８上面部分と対向するように形成したアーム部３の下方開口部３Ａの端面（下面）に固着してあり、上記開口部３Ａ内に収まるように略矩形状の板材７の中央部に、上下方向に貫通した３つの抜き孔５ａを形成してある。
３つの抜き孔５ａは、突入する刃４を受けてテープに切り込みと折曲部を形成する刃の働きをもつものであり、刃４と対向する形状を有するが、先端部と内端部の両端部に、中間部に対して幅広に開口した断面対称円形状の膨頭孔部５ｂ、５ｂを形成してあり、先端部側にも膨頭孔部を形成してある点で異なる。【００２６】
フック部１１は、アーム部３と本体部２とを閉じたとき、テープＴの端部を引っ掛け、アーム部３と本体部２との先端部間に渡ってテープＴを引き出すことができるようにしてあり、図２に示すように、長細板材であり、上方に位置する一端部側を、装置幅方向の回転軸に回動可能に連結し、他端部側を装置内方又は外方に回動できるようにしてある。他端部側には、装置内方に向け突設した爪部１１ａが形成してある。また、フック部１１は、トーションバネ１２ａにより装置内方に付勢されている。
また、フック部１１は、フック部１１の内方に設けたカム部１３により支持されており、カム部が回動することにより爪部１１ａが装置内外方向に交互に往復動するようにしてあり、爪部１１ａは、装置内方向に移動した際、アーム部３から下方に突設した爪受け部１１ｂの開口１１ｃに若干突入するようにしてある。【００２７】
図１に示すように、アーム部３の後端部側には、幅方向に貫通した連結孔３ａが穿設してあり、この連結孔３ａと本体部２の両側面２ａに穿設した円孔２ｂとに締結部材などの軸部１５ａを挿通し、本体部２とアーム部３とを回動可能に枢着してある。また、アーム部３の後端部側には、係止片３ｂを下方に突設してあり、その面上に穿設した係止孔３ｃに引張りバネ１２ｂの一端部を係止できるようにし、引張りバネ１２ｂの他端部を本体部２の先端部寄りの両側面２ｂ間に架け渡した締結部材などの軸部１５ｂに係止して、本体部２とアーム部３との先端部側が開くように付勢してある。【００２８】
アーム部３は、把持部１６を握ることにより下降し、アーム部３の先端部側と本体部２の先端部側が閉じ、把持部を開放する（離す）ことにより、上記バネ１２ｂによってアーム部の先端部が開放するように形成してある。
把持部１６は、長手方向に沿い下方開口した断面略コの字状板材の把持用元端部としてあり、この元端部から両側面１６ａを中間部及び先端部方向に延設し、中間の両側面部をアーム部３の折曲部３ｄの側面に重合する部分とするとともに、この中間部からやや下方に湾曲して先端部まで延設し、先端部に上側に円弧フック状に折り返した係止部１６ｂを形成してある。
上記中間部には両側面を貫通する円孔１６ｃを形成してあり、アーム部３の折曲部３ｄの側面部分に形成してある円孔３ｅを通して締結部材などの軸部１５ｄを枢着して回動自在としてあり、先端の係止部１６ｂは、本体部２の先端部寄り両側面２ａから外方に突設するように配した軸部１５ｃに係止し、把持部の回動軸となるようにしてあり、把持部１６握ることによりアーム部３の昇降を操作できるようにしてある。【００２９】
テープ収納部６は、図８に示すように、本体部２の後端部側に位置する円形箱状のテープ収納庫６ａと、本体部２の下端部側に位置し、テープ収納庫６ａの外周上を円周接線の先端方向に延設した中空のテープ送り部６ｂとを備えている。テープ収納部６は、上側から開閉することができる両開き構造としてある。
テープ収納庫６ａは、円状に巻いたテープＴを収納する箇所であり、テープＴは、テープ収納庫６ａからテープ送り部６ｂを通り、本体部２の先端部側に送られていく。テープＴを使い切ったときは、テープ収納部６を開き、テープ収納庫６ａに新たなテープＴを収納する。【００３０】
以下、上記実施形態の園芸用結束装置１の使用方法を説明する。
本結束装置に用いるテープは任意であるが、紙、生分解性素材、或いはそれらを主素材とした複合材料テープを用いるのが好ましい。
図９に示すように、テープＴの端部は、本体部２の先端部側から上方に突出するように配する。
把持部１６を握ると、アーム部３が下降し、アーム部３の先端部側と本体部２の先端部側とが閉じる。この際、アーム部３の先端部側に設けたフック部１１が内方に移動し、爪部１１ａが、テープＴの端部を引っ掛け、爪受け部１１ｂの開口１１ｃ内に若干突入することにより、爪部と爪受け部とでテープを挟着する。この状態で、把持部１６を解放することにより、アーム部３が上昇し、図１２に示すように、テープＴがアーム部３の先端部側と本体部２の先端部側とに架け渡って引き出されることになる。
次いで、図１１に示すように、結束物Ａ（新梢とワイヤなど）を本体部２とアーム部３との開口した先端部間を通して、アーム部３の湾曲内に収めれば、テープＴは結束物Ａの外周に巻き付くように一周する。
引き続いて把持部１６を握ることにより、アーム部と本体部の先端部が閉じ、刃４が抜き孔５ａに突入し、図１２に示すように、テープ重合部１７に切り込みと折曲部を形成し、かつ一方の切り込み部分を他方のテープの切り込み部分に係止させて、テープを結束する。この際、切断刃１０により、テープは切断され、把持部１６を開放すれば、フック部１１は外方に移動してテープを解放し、同時にテープで結束した結束物Ａを開口した先端部から本結束装置外方に開放することができる。【００３１】
テープ重合部１７に形成され、一端部側が切り込まれ他端部側が折曲部となった綴じ片１８は、図１２、１３に示すように、中間部及び先端部側に対して円形状に幅広となった膨頭部１８ａを有し、抜き孔１９は、端部を膨頭部１８ａ同様に幅広に開口した膨頭孔部１９ａを有するように形成してあり、綴じ片１８の膨頭部１８ａが膨頭孔部１９ａ内に斜めに差し込まれ、貫通して係止し、環状にしたテープを結束できる。綴じ片１８は、テープ重合部１７の剥離方向に対しては、膨頭部１８ａが幅狭となった抜き孔１９の中間部に係止するので、抜け外れることがない。
なお、図１２又は図１３においては、構成を理解しやすくするため、両綴じ片１８を開拡した状態で示している。
本実施形態では、膨頭部１８ａと膨頭孔部１９ａとを円形状としてあるが、刃受け部５の膨頭孔部５ａ及び刃４の膨頭部４ａの形状が変われば、これに伴い変わるものである。【００３２】
装置１でテープ重合部１７に切り込みを形成した際、図１４〜１６に示すように、綴じ片１８は板材７の抜き孔５ａに挿通した状態である。この状態で、開放した先端部を通して装置１を結束物Ａから引き離すと、板材７（装置)と綴じ片１８（結束テープ）とは内端方向と先端外方との相反方向に引っ張られることになる（図１６（Ａ）では、左右相反方向）。綴じ片１８の膨頭部１８ａは引っ張られ方向、すなわち、抜き孔５ａの先端部側に移動する。装置１では、図１６（Ｂ）に示すように、板材７の抜き孔５ａの先端部に幅広とした膨頭孔部５ｂを形成してあるので、膨頭部１８ａが抜き孔５ａに引っ掛かって千切れるおそれなく、綴じ片１８が円滑に抜き孔５ａから抜き取られることとなる。【００３３】
このように結束した園芸用テープは、結束物から受ける応力でテープが開こうとする際、図１７に示すように、綴じ片１８の膨頭部１８ａが、他方のテープの抜き孔１９の中間部に引っ掛かって、抜け外れないように作用し、結束状態を維持させることができる。３本の綴じ片により、結束が丈夫に安定して持続される。【００３４】
次に、本発明の別の一例実施形態を図面により説明する。
図１８は本発明の園芸用結束装置の他の実施形態を示した概略側面図、図１９、２０は、図１８の装置の構成部品を示した図である。
この園芸用結束装置１ａは、上記実施形態の装置１に対して、刃４と刃受け部５との構成を主に変更してあり、本体部２の先端部側に刃２０ａ、２０ｂを、アーム部３の先端部側に刃受け部２１を設けたものである。
以下、説明するにあたり、上記実施形態と同一構成の部分は、上記実施形態で用いた名称、符号と同一のものを用いる。【００３５】
刃２０ａ、２０ｂは、図１９に示すように、突出先端が直線刃となった刃形としてあり、先端部側とその内方側とに刃がテープ長手方向と交差するように二対形成してある。
なお、刃２０ａ、２０ｂは、少なくとも先端部側とその内方側とに設けてあればよいが、これ以上の数を設けることもできる。
略矩形の刃本体部２２の一面上に刃２０ａ、２０ｂを突設してあり、刃本体部２２を本体部２の開口部２にビスなどにより固着できるようにしてある。
刃本体部２２の一端部（先端部）側に適宜長さで突設した刃２０ａ、２０ａは、外側端部を刃本体部の縁部に合わせて幅方向に沿い適宜間隔をおいて配してある。
他端部（内端部）側に突設した刃２０ｂ、２０ｂは、刃先方向から見た上面視において、外側端部を刃本体部の縁部に合わせて刃２０ａと平行するように配し、その内端部側を先端部側に折曲し、二枚の刃２０ｂの該折曲した刃の先端部が漸次窄まるように形成し、かつこの折曲した刃の刃先を、先端ほど漸次下方傾斜するように形成してある。
また、先端部には、切断刃１０を上方に刃先が向くように固着してあり、本体部２とアーム部３とが閉じたときテープを切断するようにしてある。【００３６】
刃本体部２２の両刃２０ａ、２０ｂに囲まれた領域には、両刃２０ａ、２０ｂの側面に沿うように形成した変形五角形状の挿通孔２２ａが一対形成してある。
また、挿通孔２２ａと略同一形状で、挿通孔２２ａの下方から挿通できるようにした押圧片２３を設け、アーム部３の先端部側が閉じたとき、押圧片２３が挿通孔２２ａの下方から突出するように形成してある。【００３７】
刃受け部２１は、アーム部３の先端部が閉じた際、刃２０ａ、２０ｂと摺れてテープＴをせん断し、テープＴに切り込みを形成し得るように形成してある。
刃受け部２１は、図２０に示すように、上面視略Ｈ字形状としてあり、並行した略矩形板材の側面部材２１ａ、２１ａの中央付近を連結部２１ｂで連結するように形成してある。アーム部３が閉じた際、側面部材２１ａ、２１ａは、刃２０ａの先端側と刃２０ｂの装置内方側に位置し、連結部２１ｂは、一対の刃２０ａ間及び一対の刃２０ｂ間に位置するように形成してある。【００３８】
刃受け部２１よりも装置先端部側には、フック部２７が設けてあり、アーム部３と本体部２とが閉じたとき、テープＴの端部を引っ掛け、アーム部３と本体部２との先端部間に渡ってテープＴを引き出すことができるようにしてある。
フック部２７は、図２０に示すように、長細板材であり、上方に位置する元端部側を、装置幅方向の回転軸に回動可能に連結し、先端部側を、装置内方又は外方に回動できるようにしてある。先端部側には、装置内方に向け突設した爪部２７ａが形成してあり、フック部２７の一面には、円柱状の突部２７ｂが略垂直に突設してある。また、フック部２７は、引張りバネ２８により上方（爪部突出方向）に付勢されている。【００３９】
本体部２の先端部側には、図１８に示すように、上端部を傾斜状に凹設した板材のフック受け部２９が装置長手方向に沿い形成してあり、突部２７ｂの周面が、この上端部に当接することによりフック部２７が装置内方又は外方に移動できるようにしてある。つまり、アーム部３が下降することにより、突部２７ｂの周面が、内方向きの傾斜面に当接し、フック部２７が内方に移動し、爪部２７ａが爪受け部１１ｂの開口１１ｃに挿入してテープＴの端部を引っ掛ける。この状態で、アーム部３を上昇させることにより、アーム部３と本体部２との先端部側に渡りテープを引き出すことができる。再度、アーム部３を下降させることにより、突部２７ｂの周面が、外方向きの傾斜面に当接し、フック部２７が外方に移動してテープＴの端部を解放する構成としてある。【００４０】
上記実施形態の園芸用結束装置１ａは、前記実施形態の装置１と同様な方法で使用することができる。
テープ重合部２４に、刃２０ａ、２０ｂにより先端部側と内方側とにテープ長手方向と交差するように切り込みを形成して切片部２５を形成し、押圧片２３により切片部２５をテープ長手方向の折れ筋で直角状に起して折曲形成することができる。切片部２５の内端部側が他方のテープ部分の切り込み部２６に係止することにより、テープＴが結束できるようにしてある。
図２１（Ａ）〜（Ｃ）に示すように、切片部２５の内端部は、折れ筋から内端部側に向かいテープＴの表面から漸次離反する食い込み形状の傾斜部を有して形成してある。このため、重合したテープに剥がれる作用が働くと、一方のテープ部分に形成した切片部２５が、他方のテープ部分に形成した切り込み部２６に係止し、食い込み状に係止するので、環状のテープ端を結束した状態から剥がれない状態に維持する。【００４１】
上記いずれの実施形態でも、テープＴは一重のものを用いることができ、また、複数層重合したテープを用いることができる。また、図２２に示すように、テープＴの一端部又は両端部を折り返してテープ重合部１７、２４を形成し、結束してもよい。このようにすることにより、結束強度を高めることができる。
また、上記実施形態の構成態様は、本発明を限定するものとして挙げたものではなく、技術目的と効用を共通にする変更が可能であり、本発明はそれらを含むものである。
【図１】
2006067886.tif 000002
【図２】
2006067886.tif 000003
【図３】
2006067886.tif 000004
【図４】
2006067886.tif 000005
【図５】
2006067886.tif 000006
【図６】
2006067886.tif 000007
【図７】
2006067886.tif 000008
【図８】
2006067886.tif 000009
【図９】
2006067886.tif 000010
【図１０】
2006067886.tif 000011
【図１１】
2006067886.tif 000012
【図１２】
2006067886.tif 000013
【図１３】
2006067886.tif 000014
【図１４】
2006067886.tif 000015
【図１５】
2006067886.tif 000016
【図１６】
2006067886.tif 000017
【図１７】
2006067886.tif 000018
【図１８】
2006067886.tif 000019
【図１９】
2006067886.tif 000020
【図２０】
2006067886.tif 000021
【図２１】
2006067886.tif 000022
【図２２】
2006067886.tif 000023
【手続補正書】
【提出日】平成18年2月16日(2006.2.16)
【手続補正１】
【補正対象書類名】特許請求の範囲
【補正対象項目名】請求の範囲
【補正方法】変更
【補正の内容】
【書類名】請求の範囲
【請求項１】（削除）
【請求項２】（補正後）本体部にアーム部を回動可能に連結してあり、両先端部が開くことにより一方の先端部から他方の先端部に渡ってテープを引き出し、両先端部が閉じることによりテープを装置内方側に環状にできるとともに、先端部側でテープ部分を重合状態で結束しかつ切断する構成を有する園芸用結束装置であって、
アーム部側又は本体部側の一方に刃を、他方に刃受け部を対向形成し、
刃は、装置先端部側から装置内方に向けてテープを打ち抜き、折曲し得るとともに、刃先の装置内方側が装置先端部側に対して幅広となった膨頭部を有する刃形に形成し、
刃受け部は、両端部側が中間部に対して幅広に開口した膨頭孔部を有する抜き孔として形成し、アーム部の先端部が閉じるとともに、膨頭部が膨頭孔部の装置内方側の幅広開口部に挿入し貫通するように形成してなる構成を有する園芸用結束装置。
【請求項３】（補正後）刃を、装置幅方向に二以上並列して形成し、そのうち少なくとも一の刃を他の刃よりも刃受け部側に突出した案内刃としてある請求項２に記載の園芸用結束装置。
【請求項４】（補正後）刃を、装置幅方向に三本並列して形成し、そのうち中央の刃を両側の刃よりも刃受け部側に突出した案内刃としてある請求項２又は３に記載の園芸用結束装置。
【請求項５】（補正後）本体部とアーム部との両先端部が開いている際は、刃の先端部よりも外方に位置して刃を覆い、本体部とアーム部との両先端部が閉じた際は、本体部又はアーム部側に押圧され、刃の先端部を露出させる構成としてある保護部材を備えた請求項２〜４のいずれかに記載の園芸用結束装置。
【請求項６】（補正後）本体部にアーム部を回動可能に連結してあり、両先端部が開くことにより一方の先端部から他方の先端部に渡ってテープを引き出し、両先端部が閉じることによりテープを装置内方側に環状にできるとともに、先端部側でテープ部分を重合状態で結束しかつ切断する構成を有する園芸用結束装置であって、
アーム部側又は本体部側の一方に刃を、他方に刃受け部を対向形成し、
刃を、テープ長手方向と交差するように二以上形成し、装置内方側の刃をテープ幅の内方部が装置先端部側に窄まり傾斜するように形成し、
刃受け部を、アーム部の先端部が閉じるとともに上記刃と摺れてテープをせん断し得るように形成し、かつ切り込んだテープ部分を折曲する押圧片を設けてなる園芸用結束装置。
【請求項７】（補正後）紙、生分解性素材、或いはそれらを主素材とした複合材料で形成してなるテープを用いてなる請求項２〜６のいずれかに記載の園芸用結束装置。
【請求項８】（削除）
【請求項９】（補正後）園芸用テープを新梢などに環状に結束する方法であって、本体部とアーム部を回動可能に連結し、両先端部でテープを引き出し、テープを装置内方側に環状とするとともに、先端部側でテープ部分を重合状態で結束し、切断するようにしてなる園芸用結束装置を用い、
本体部とアーム部との先端部を開いて引き出したテープを環状となした後、両先端部を閉じてテープ先端部とテープ元側との内面側を重合するとともに、
刃先の装置内方側が装置先端部側に対して輻広となった膨頭部を有する刃形に形成した刃と、両端部側が中間部に対して幅広に開口した膨頭孔部を有する抜き孔とした刃受け部とを用い、膨頭部が膨頭孔部の装置内方側の幅広開口部に挿入し、テープ重合部に切り込みと折曲部を形成し、一方のテープの装置内方側に形成した切り込み部分を他方のテープの切り込み部分に係止させて、テープの結束状態を維持させるようにしてなる園芸用テープの結束方法。
【請求項１０】（補正後）園芸用テープを新梢などに環状に結束する方法であって、本体部とアーム部を回動可能に連結し、両先端部でテープを引き出し、テープを装置内方側に環状とするとともに、先端部側でテープ部分を重合状態で結束し、切断するようにしてなる園芸用結束装置を用い、
本体部とアーム部との先端部を開いて引き出したテープを環状となした後、両先端部を閉じてテープ先端部とテープ元側との内面側を重合するとともに、
テープ長手方向と交差するように二以上形成し、装置内方側の刃をテープ幅の内方部が装置先端部側に窄まり傾斜するように形成した刃と、アーム部の先端部が閉じるとともに上記刃と摺れてテープをせん断し得るように形成した刃受け部とにより、テープ長手方向と交差する二以上の切り込みを形成し、押圧片によりテープ長手方向の折れ筋で切り込んだテープ部分を折曲して重合テープ部分に切片部を形成し、切片部の装置内方側を重合した他方のテープ部分の切り込み部分に係止するようにしてなる園芸用テープの結束方法。
【請求項１１】（補正後）紙、生分解性素材、或いはそれらを主素材とした複合材料で形成してなる園芸用テープを用いてなる請求項９又は１０に記載の園芸用テープの結束方法。
１９
【国際調査報告】
2006067886.tif 000024
2006067886.tif 000025
2006067886.tif 000026
2006067886.tif 000027